【事件の表示】
　平成　７年特許願第１７９３２８号「テンプルユニット」拒絶査定不服審判事件〔平成　９年　１月１４日出願公開、特開平　９−　１３２５０〕について、次のとおり審決する。
【結　論】
　本件審判の請求は、成り立たない。
【理　由】
１．手続の経緯・本願発明  　　　
　本願は、平成７年６月２２日の出願であって、その請求項１に係る発明は、平成１８年３月９日付け手続補正書によって補正された明細書および図面の記載からみて、明細書の特許請求の範囲の請求項１に記載された次のとおりのものである。
「織縮み防止用テンプルと織布支持用布ガイド部材とを有する上置き型式のテンプルユニットであって、織布の両端部に対応すべく配置された２個のテンプル部と、両テンプル部間に別体に配置された中央ガイド部とから構成され、前記各テンプル部は、織布の上側に位置するテンプルと、該テンプルに対応する位置で織布の下側に配置されると共にサブノズルに対応する箇所に逃げ部が形成されたガイド部材とから構成され、且つ、反給糸側のテンプル部は織機の幅方向に移動可能に設けられており、前記中央ガイド部は、前記ガイド部材間で延在するガイドバーと、これを着脱可能に支持する取付けブラケットとから構成されており、前記ガイドバーは、織布を下側から支持する部分と該織布を支持する部分に連続して前記取付けブラケットに支持される部分とを有し、筬が最前進位置に位置する状態で、前記織布を支持する部分がサブノズルの上方に位置し、且つ、その全幅に亘ってサブノズルと干渉しない位置に配置されている、ことを特徴とする空気噴射式織機のテンプルユニット。」（以下、「本願発明」という）
　
２．拒絶理由の概要
　当審が平成１７年１２月２０日付けで通知した拒絶理由の概要は、
　本願の請求項１に係る発明は、その出願前に頒布された引用刊行物１、２に記載された発明に基づいて当業者が容易に発明をすることができたものであるから特許法第２９条第２項の規定により特許を受けることができないというものである。
刊行物１：特開昭６３−３０３１５３号公報（以下、「引用例１」という）
刊行物２：特開平４−２０２８３３号公報（以下、「引用例２」という）
　
３．引用例の記載事項　
（１）引用例１
（１−１）「織機１は、主として側壁部２１、２２および横部材２０により構成されたフレーム２と、たて糸用ビーム１０とからなり、横部材２０には、バツクロール１１および布用ビーム１２が装着されている。たて糸は、たて糸用ビーム１０からバツクロール１１を通して綜絖１３およびおさ１４に送り出される。布４は、例えば、空気によるピッキングにより、かつおさ１４が布４のフエル（ｆｅｌｌ）においてよこ糸をおさ打ちすることにより、おさ１４の前方に形成される。おさ打ち後、布はおさ１４により導かれるたて糸に対して収縮する傾向があるので、この位置において、布はテンプルキャリヤ、すなわち、支持部材１６上に配置されたテンプル１５と係合される。第２図は、布展延装置５が配置された織機の領域の横断面図である。…略…ノズル１４２は、各々のノズルと組み合わされる凹部が形成された布支持部材５３の横断面内に延びている。保護カバー５３１が布支持部材５３の上縁を遮蔽している。」（第２頁右下欄１５行〜第３頁左上欄１８行）
（１−２）「布展延装置は、例えば、第３図に示したように、キャリア５１内のＴ字形ブロックにより組み立てられた撓曲要素５４１および展延棒５５１からなる形態に構成することができる。展延棒５５１は、既に記載したように、布をその幅全体にわたって展延する。この場合に、布支持部材５３は、布を布展延装置５内に導く作用をするので、布の展延作用に直接に参加する。この場合には、布支持部材５３およびそらせ要素５４１は、受動要素であり、かつ展延棒５５１は、能動展延要素である。別の種類の織機の操作においては、そらせ要素５４１および展延棒５５１のかわりに、第４図においてキャリヤ５１の頂部に固定された部品が使用される。このような部品は、テンプルキャリヤ、すなわち、テンプル支持部材１６、該テンプルキヤリヤに装着されかつ第１図のテンプル１５と同様なテンプル、すなわち、展延シリンダ５５２、カバーキヤリヤ５４３およびテンプルカバー５４２である。テンプルカバー５４２は、展延シリンダ５５２に近い布をそらせる作用をする。この場合においても、布支持部材５３は、たて糸３をおさ１４の幅全体にわたってよこ糸トンネル１４０と同一の高さに保持することを保証するために必要である。第５図は、布展延装置の別の変型を示す。キャリヤ５１の頂部上には、キャリヤ１６１が配置され、かつテンプルキャリヤ１６がキヤリヤ１６１上にピボット１６２により装着されている。キャリヤ１６は、ピボツト１６２のまわりに矢印１６′で示すように回転可能でありかつピボット１６２上に位置決め可能である。テンプルキャリヤ１６は、テンプルシリンダ５５２を担持している。第４図の変型と対比して、第５図においては、布４は、テンプルシリンダ５５２の下部のまわりにそらされる。既知の布支持部材５３および横部材５２にねじで留められた付加的なそらせ捧５４０は、布をそらせる作用をする。テンプルシリンダ５５２の周囲に固定された針５５３は、布４がテンプルシリンダ５５２のまわりを回転するときに布４が織機１の中央部に向かって収縮することを阻止する。」（第３頁右上欄９行〜右下欄１０行）
（１−３）第１〜３図および記載事項（１−１）、（１−２）を総合すれば、
　引用例１には、　
「両端に、テンプル支持部材１６、テンプルキヤリヤ１６１に装着されたテンプル１５（第１図）であって、展延シリンダ５５２がキャリア５１内のＴ字形ブロックにより組み立てられたキヤリヤ１６１およびピボツト１６２のまわりに矢印１６′で示すように回転可能でありかつピボット１６２上にテンプルキャリヤ１６と位置決め可能で、かつ布４は、テンプルシリンダ５５２の下部のまわりにそらされており、布支持部材５３の横断面内に延び各々のノズルと組み合わされる凹部が形成された変形筬とエアージェットにより、緯入れと筬打ちを行うエアージェット織機。」の発明（以下、「引用発明１」という）が記載されている。
（２）引用例２
（２−１）「第４図に従来の空気噴射式織機のフェルプレート装置の一例を示す。図において、図示しない織機のフレーム（図示せず）には左右１対のフェルプレート２，３がクロスフェルスティ４を介して設けられている。図中左側のフェルプレート２はクロスフェルスティ４に固定されており、右側のフェルプレート３は左側のフェルプレート２上に一端を載置し、このフェルプレート２に対してスライド可能にクロスフェルスティ４にクランプ部材５により固定してある。この構成において織巾に合わせてフェルプレートの巾を変更する場合は右側のフェルプレート３を織巾に合わせてスライドさせ、所定の位置でクランプ部材５によりクロスフェルスティ４に固定するようになっている。また、フェルプレート２，３の端部に相対してテンプル６（図では右側のみを示す）が設けられており、右側のテンプル６はフェルプレート３とともに移動する。さらにクロスフェルスティ４の織布の進行方向に対して下流側には長手方向の中心に対して対称に外周上にねじが形成されたエキスパンションバー７がクロスフェルスティ４に固定されている。」（第１頁左欄末行〜第２頁左上欄１行）
（２−２）「本実施例によれば、織布８の織巾に応じて分割された右側フェルプレート２２を適宜着脱することにより、フェルプレート２０全体の長さをほぼ織巾に一致させることができる。このとき右側のテンプル６はフェルプレート２０の右端まで移動させる。従って用意するフェルプレート２０は左側２１及び分割された右側２２の１対でよく、コストを低減し織巾変更のための作業性を向上することができる。」（第３頁左下欄２〜１０行）
（２−３）第１、４、５図および記載事項（２−１）、（２−２）を総合すれば、
引用例２には、　
「織巾に対応させて両端部に対応すべく位置調整可能な２個のテンプルと、両テンプル間に別体に配置され同じく織巾に対応させて右側のフェルプレート３は左側のフェルプレート２上に一端を載置し、このフェルプレート２に対してスライド可能にクロスフェルスティ４にクランプ部材５により固定した空気噴射式織機のフェルプレート装置」の発明（以下、「引用例発明２」という）が記載されている。
　
４．対比・判断
　そこで、本願発明と引用例１記載の発明とを対比すると、
　引用発明１の「テンプル１５」、「布支持部材５３」、「布がテンプルシリンダ５５２の下部のまわりにそらされる部材」、「凹部」、「エアージェット織機」は、本願発明の「テンプル」、「織布支持用布ガイド部材」、「上置き型式のテンプルユニット」、「逃げ部」、「空気噴射式織機」に相当するものである。
　ここで、ａ）引用発明１の「キャリア５１内のＴ字形ブロックにより組み立てられた展延シリンダ５５２」は、本願発明の「織機の幅方向に移動可能な反給糸側のテンプル部」に相当するものであり、これが織巾によってテンプル間の距離や筬の数を代えることととして、当業者が発明を把握することが明らかであるとともに、ｂ）引用例１記載の発明の「布支持部材５３」が「織布を下側から支持する部分と該織布を支持する部分に連続して前記取付けブラケットに支持される部分とを有し、筬が最前進位置に位置する状態で、前記織布を支持する部分がサブノズルの上方に位置し、且つ、その全幅に亘ってサブノズルと干渉しない位置に配置されている」ものであることは、当業者にとって技術常識である。
　したがって、両者は、「織縮み防止用テンプルと織布支持用布ガイド部材とを有する上置き型式のテンプルユニットであって、織布の両端部に対応すべく配置された２個のテンプル部とから構成され、前記各テンプル部は、織布の上側に位置するテンプルと、該テンプルに対応する位置で織布の下側に配置されると共にサブノズルに対応する箇所に逃げ部が形成されたガイド部材とから構成され、テンプル部は織機の幅方向に移動可能に設けられており、織布を下側から支持する部分と該織布を支持する部分に連続して前記取付けブラケットに支持される部分とを有し、筬が最前進位置に位置する状態で、前記織布を支持する部分がサブノズルの上方に位置し、且つ、その全幅に亘ってサブノズルと干渉しない位置に配置されている空気噴射式織機のテンプルユニット。」で一致し、以下の点で相違している。
　相違点１：本願発明の「中央ガイド部」が、２個のテンプル部と別体に配置されたものであるのに対し、引用例１記載の発明のテンプルには、その明記がない点。
　相違点２：本願発明のテンプル部の織機の幅方向に対する移動方向が、反給糸側であるのに対し、引用例１記載のテンプルには、その明記がない点。
以下、相違点について検討する
　相違点１について、
　引用例２記載の発明には、「位置調整可能な２個のテンプル部と、両テンプル部間に別体に配置され同じく織巾に対応させて右側のフェルプレート３は左側のフェルプレート２上に一端を載置し、このフェルプレート２に対してスライド可能にクロスフェルスティ４にクランプ部材５により固定した空気噴射式織機のフェルプレート装置」が記載されているから、この、「両端のテンプル部と、中央のフェルプレートを別体にした」点を引用例１記載の発明に適用して本願発明の「中央ガイド部が２個のテンプル部と別体に配置」された構成とすることは当業者が必要に応じて適宜なしえたことである。
 　相違点２について、
　記載事項（２−２）には、「本実施例によれば、織布８の織巾に応じて分割された右側フェルプレート２２を適宜着脱することにより、フェルプレート２０全体の長さをほぼ織巾に一致させることができる。このとき右側のテンプル６はフェルプレート２０の右端まで移動させる。従って用意するフェルプレート２０は左側２１及び分割された右側２２の１対でよく、コストを低減し織巾変更のための作業性を向上することができる。」としか記載がない。
　しかし、当業者であれば、できうる限り反給糸側において微調整をすませられればメインノズル側の位置関係を変化させずに織巾の調整を行え、その結果コストを低減し織巾変更のための作業性を向上することができることができるとともに、部品点数の削減につながることは自明であるから、相違点２は当業者が当然採用している技術にすぎない。
　したがって、相違点２は格別のものではない。
　　
　５．むすび
　上記のとおり、本願発明は、引用発明１、２に基づいて当業者が容易に発明をすることができたものであるから、特許法第２９条第２項の規定により特許を受けることができない。
　それゆえ、本願出願は拒絶すべきものである。
　よって、結論のとおり審決する。